【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
表面に表面側端子を有し、裏面に裏面側端子を有する電子デバイスの外部信号入力方法であって、
前記電子デバイスをトレイに収容して前記裏面側端子を前記トレイに形成された導電性金属に接触させ、
その後、前記導電性金属の平面視して前記電子デバイスと重ならない領域に露出する露出部に前記電子デバイスの前記表面側からプローブを接触させ、
前記プローブから前記電子デバイスへ外部信号を入力することを特徴とする電子デバイスの外部信号入力方法。
【請求項２】
表面に表面側端子を有し、裏面に裏面側端子を有する電子デバイスの外部信号入力方法であって、
前記裏面側端子は導電性キャップであり、
前記表面側端子は実装端子であり、
前記電子デバイスをトレイに収容して前記導電性キャップを前記トレイに形成された導電性金属に接触させ、
その後、前記導電性金属の平面視して前記電子デバイスと重ならない領域に露出する露出部および前記実装端子に対して前記電子デバイスの前記表面側からプローブを接触させ、
前記プローブから前記電子デバイスへ外部信号を入力することを特徴とする電子デバイスの外部信号入力方法。
【請求項３】
表面に表面側端子を有し、裏面に裏面側端子を有する電子デバイスの外部信号入力方法であって、
前記裏面側端子は実装端子であり、
前記表面側端子は導電性キャップであり、
前記電子デバイスをトレイに収容して前記実装端子を前記トレイに形成された導電性金属に接触させ、
その後、前記導電性金属の平面視して前記電子デバイスと重ならない領域に露出する露出部および前記導電性キャップに対して前記電子デバイスの前記表面側からプローブを接触させ、
前記プローブから前記電子デバイスへ外部信号を入力することを特徴とする電子デバイスの外部信号入力方法。
【請求項４】
前記トレイは、前記電子デバイスを収容する凹部を備え、
前記導電性金属は、前記凹部の底部表面から突出していることを特徴とする請求項１ないし３のいずれかに記載の電子デバイスの外部信号入力方法。
【請求項５】
前記トレイは非導電性金属材料からなることを特徴とする請求項１ないし４のいずれかに記載の電子デバイスの外部信号入力方法。
【請求項６】
前記導電性金属は、平面視して前記トレイに収容された前記電子デバイスの前記表面側端子とオーバラップしないように配置されていることを特徴とする請求項１ないし５のいずれかに記載の電子デバイスの外部信号入力方法。
【手続補正２】
【補正対象書類名】明細書
【補正対象項目名】発明の名称
【補正方法】変更
【補正の内容】
【発明の名称】電子デバイスの外部信号入力方法
【手続補正３】
【補正対象書類名】明細書
【補正対象項目名】０００１
【補正方法】変更
【補正の内容】
【０００１】
本発明は電子デバイスの外部信号入力方法に係り、特に信号を入出力する端子を備えた電子部品と圧電振動片とをパッケージ内に搭載し、前記電子部品の外部から信号を入出力する端子に電気的に接続される導電性キャップを有する圧電発振器を対象デバイスとして、このデバイスへの外部信号入力方法に関する。
【手続補正４】
【補正対象書類名】明細書
【補正対象項目名】０００９
【補正方法】変更
【補正の内容】
【０００９】
本発明は、上記従来の問題点に着目し、デバイスパッケージの表裏面に振り分けられた端子を用いてデータ書き込みを行う場合、特に裏面側の端子を通じて行うデータ書き込みを簡単な構成で実現できるようにした電子デバイスの外部信号入力方法を提供する事を目的としている。また、本発明は電子デバイスの外部信号入力設備を簡便に設計できるようにした信号入力方法を提供する事を目的としている。更に、対象デバイスが存在しなかった場合でもプローブ同士の短絡による事故防止を図ることができるようにすることを目的としている。また、構成部品の一部を外部電極に利用している電子デバイス、特に金属キャップを外部端子とした圧電発振器への外部信号入力に好適な方法を提供する事を目的とする。
【手続補正５】
【補正対象書類名】明細書
【補正対象項目名】００１１
【補正方法】変更
【補正の内容】
【００１１】
すなわち、上記目的を達成するために、本発明に係る電子デバイスの外部信号入力方法は、表面に表面側端子を有し、裏面に裏面側端子を有する電子デバイスの外部信号入力方法であって、前記電子デバイスをトレイに収容して前記裏面側端子を前記トレイに形成された導電性金属に接触させ、その後、前記導電性金属の平面視して前記電子デバイスと重ならない領域に露出する露出部に前記電子デバイスの前記表面側からプローブを接触させ、前記プローブから前記電子デバイスへ外部信号を入力することを特徴としている。このように構成することによってデバイスをトレイ内に収容した状態で一方向からプローブを下降させることで外部信号を入力でき、プローブによってデバイスを動かしたり、プローブを異なる向きに作動させて端子との接触を図るようなことをしなくても良くなる。
【手続補正６】
【補正対象書類名】明細書
【補正対象項目名】００１２
【補正方法】変更
【補正の内容】
【００１２】
また、本発明に係る第２の電子デバイスの外部信号入力方法は、表面に表面側端子を有し、裏面に裏面側端子を有する電子デバイスの外部信号入力方法であって、前記裏面側端子は導電性キャップであり、前記表面側端子は実装端子であり、前記電子デバイスをトレイに収容して前記導電性キャップを前記トレイに形成された導電性金属に接触させ、その後、前記導電性金属の平面視して前記電子デバイスと重ならない領域に露出する露出部および前記実装端子に対して前記電子デバイスの前記表面側からプローブを接触させ、前記プローブから前記電子デバイスへ外部信号を入力することを特徴としている。この構成では、電子デバイスとして圧電発振器のキャップを導電性キャップとして、これを上下反転させた状態でデータ入力を行うことができ、プローブは表裏面端子に対して同一方向から下降移動させて接触させることができる。導電性キャップを有する圧電発振器へデータ入力する場合に最適な方法となる。
【手続補正７】
【補正対象書類名】明細書
【補正対象項目名】００１３
【補正方法】変更
【補正の内容】
【００１３】
更に、本発明は、表面に表面側端子を有し、裏面に裏面側端子を有する電子デバイスの外部信号入力方法であって、前記裏面側端子は実装端子であり、前記表面側端子は導電性キャップであり、前記電子デバイスをトレイに収容して前記実装端子を前記トレイに形成された導電性金属に接触させ、その後、前記導電性金属の平面視して前記電子デバイスと重ならない領域に露出する露出部および前記導電性キャップに対して前記電子デバイスの前記表面側からプローブを接触させ、前記プローブから前記電子デバイスへ外部信号を入力することを特徴としている。電子デバイスが導電性キャップを有する圧電発振器のような場合、上下反転してキャップと導電性金属との電気的接続を図っても良いが、実装端子を下向きにし、これらと電気的接続をできる導電性金属をトレイ側に設け、トレイに隠れた実装端子へのプローブ接触をパッケージ表面側から行えるようにしている。この方法ではパッケージ表面の導電性キャップにプローブが接触して傷付くおそれがあるが、任意の箇所を選定できるので、マーキング箇所を避けて外部信号を入力できるので、問題はない。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
上記構成において、前記トレイは、前記電子デバイスを収容する凹部を備え、前記導電性金属は、前記凹部の底部表面から突出していることが望ましい。導電性金属をトレイ底部より高くするので、パッケージと確実に接触させることができ、非導通のまま信号入力を行うようなことがなく信頼性が向上する。
また、前記構成において、前記トレイは非導電性金属材料からなることが望ましい。トレイが非導電性材料で作成できるので、トレイと外部機器との接触によるデータ改変のような事態を想定しなくても良くなり、設備設計が容易になる利点がある。
【手続補正１０】
【補正対象書類名】明細書
【補正対象項目名】００１６
【補正方法】変更
【補正の内容】
【００１６】
前記導電性金属は、平面視して前記トレイに収容された前記電子デバイスの前記表面側端子とオーバラップしないように配置されている。このようにすることで、電子デバイスがトレイに載せられないままプローブが下降動作しても、プローブの短絡がなく、短絡による信号入力装置の故障といった事態も防止できる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】